(57)【特許請求の範囲】
【請求項１】
記録媒体の幅全域に記録を行う余白無し記録に使用される余白無しノズル列と、記録媒体の搬送方向に対して該余白無しノズル列よりも上流側に配され記録媒体の側端部に余白を残して記録を行う余白有りノズル列と、を有する記録手段により記録媒体に記録を行う記録装置において、
搬送中の記録媒体の端部の浮きを押さえる浮き防止部材を備え、該浮き防止部材は記録媒体の搬送方向に対して前記余白無しノズル列で記録される記録領域とは重ならず、前記余白有りノズル列で記録される記録領域とは重なるとともに、記録媒体の幅方向において前記余白有りノズル列で記録される記録領域の外側に配設されている浮き防止領域を有することを特徴とする記録装置。
【請求項２】
前記余白無しノズル列は前記余白有りノズル列に含まれることを特徴とする請求項１に記載の記録装置。
【請求項３】
前記余白有りノズル列には黒インクを吐出するノズル列が含まれることを特徴とする請求項１または２に記載の記録装置。
【請求項４】
前記余白無しノズル列にはカラーインクを吐出するノズル列が含まれ、前記余白有りノズル列に含まれる黒インクを吐出するノズル列よりも短いことを特徴とする請求項３に記載の記録装置。
【請求項５】
前記余白無しノズル列には黒インクを吐出するノズル列とカラーインクを吐出するノズル列とが含まれ、該黒インクを吐出するノズル列は該カラーインクを吐出するノズル列の上流側に配されていることを特徴とする請求項１から４のいずれか１項に記載の記録装置。
【請求項６】
前記ノズル列の配置が異なる記録手段を選択的に搭載可能であることを特徴とする請求項１から５のいずれか１項に記載の記録装置。
【請求項７】
前記浮き防止部材は、記録媒体を支持するプラテンに一体的に形成されていることを特徴とする請求項１から６のいずれか１項に記載の記録装置。
【発明の詳細な説明】
【０００１】
【発明の属する技術分野】
本発明は、記録媒体に画像を記録する記録装置に関し、特に、記録媒体から離隔した記録ヘッドから液体を吐出して記録媒体に画像を記録する記録装置に関する。
【０００２】
【従来の技術】
従来、シリアル型の記録装置の１つであるシリアルインクジェットプリンタは、例えば特許文献１に開示されているように、記録媒体である記録シートを、搬送手段である搬送ローラとそれに従動して回転するピンチローラとによって、記録シートを支持するプラテン上で最適量搬送し、記録シートから離隔され記録シートに液体を吐出する記録手段である記録ヘッドをそのキャリア手段であるキャリッジに搭載し、そのキャリッジを記録シートの搬送方向とは交差する方向（主走査方向）に走査させつつ、記録ヘッドの少なくとも１つの吐出口列（ノズル列）から液体インクを吐出することによって記録シートに画像を記録している。記録する画像の高品位化が要求されるなか、最近では、記録ヘッドと記録シートとの間隔（以下、紙間と呼ぶ）が狭くなってきている。これは、紙間を狭くすることによって記録ヘッドから吐出されたインク滴の着弾までの距離と時間を短縮し、インク滴の着弾位置と目標の位置とのずれ量を小さく抑えるためである。
【０００３】
しかしながら、紙間を狭くしていくと、記録シートの挙動が不安定となった時に記録ヘッドと記録シートとが衝突してしまい、記録ヘッド表面に付着していたインクが記録シートに転写されて記録シートの画質を低下させてしまったり、走査している記録ヘッド並びにキャリッジが記録シートを引っかけて記録シートにダメージを与えてしまったりする可能性が高くなる。さらに、記録シートに衝突した記録ヘッドがダメージを受けて、正常な記録を保証できない状態に陥る可能性もある。
【０００４】
上述のインクジェットプリンタでは、記録シートの左右の側端部は、特に浮き上がり易くなっており、記録ヘッドと衝突する可能性が高くなる。また、シリアル式の記録装置の構成上、記録ヘッドよりも搬送方向の上流に位置するピンチローラと、下流に位置する拍車との間で記録シートを押え込んで搬送している間は、記録シートの挙動は比較的安定しているが、記録シートの搬送方向における先端部や後端部の記録時は、記録ヘッドの上下流において、記録シートの先端部、後端部の両方を押え込むことが困難となるので、記録シートが浮きあがって記録ヘッドに衝突する可能性が高くなる。
【０００５】
インクジェットプリンタでは、上述した記録ヘッドと記録シートとの衝突を防止するために従来から様々な対策が講じられてきた。まず、記録シートの左右の側端部における画像が記録される領域以外の領域、すなわち、記録シートの記録領域にかからない余白部に着目し、記録ヘッドのインク滴の吐出口列であるノズル列の長さ以上の長さを有する板状の部材（記録シート浮き防止部材）を、記録シートがそのノズル列に対向する位置に搬送されたときの、キャリッジ走査上の余白部に対応する位置に配設することによって、記録シートの側端部の浮きを防止していた。
【０００６】
また、記録シートの先端部の記録については、ピンチローラの回転軸を搬送ローラの回転軸よりも記録ヘッド側（記録シートの搬送方向の下流側）に配設することにより、記録シートの先端部をピンチローラによってプラテンに押し付け、記録シートの浮き上がりを防止していた。さらに、記録シートの後端部の記録については、排紙ローラに従動して回転する拍車の回転軸を排紙ローラの回転軸よりも記録ヘッド側（記録シートの搬送方向の上流側）に配設したり、排紙ローラを２列有する場合には下流側の排紙ローラの高さを高くすることによって記録シートの後端部をプラテンに押し付け、記録シートの浮き上がりを防止していた。また、排紙トレイの高さを最適量高くして記録シートの下方への垂れ下がりを防止することにより、排紙ローラを支点とした記録領域内における記録シートの浮き上がりを防止していた。
【０００７】
【特許文献１】
特開平５−２０８７４６号公報
【０００８】
【発明が解決しようとする課題】
上述した、従来のインクジェットプリンタにおける記録媒体の先端部の浮き上がりに対する対策は、ピンチローラによるプラテンへの押し付け力が大きいため、記録媒体浮き防止効果も大きい。しかし、記録媒体の後端部の浮き上がりに対する対策は、プラテンへの押し付け力が小さいため、浮きが生じ易い。そのため、浮き防止部材によって記録媒体の側端部、特に搬送方向の上流側の側端部を押さえないと、搬送方向の下流側にある拍車および排紙ローラから最も遠い、ピンチローラから抜けた後の記録媒体の後端部が記録ヘッドと衝突する可能性が高くなってしまうという問題があった。
【０００９】
一方、記録シート全体に記録を行ういわゆる余白無し記録を行う場合には、記録シートの側端部までが記録領域となり、キャリッジ走査上の記録領域外の余白部分に記録シート浮き防止部材を設けることが困難となる。その結果、記録シートと記録ヘッドとが衝突しやすくなってしまうという問題があった。
【００１０】
本発明の目的は、記録速度の低下や記録品位の低下を招くことなく、余白有り記録、余白無し記録ともに記録媒体と記録ヘッドとの衝突を防止することができる記録装置を提供することにある。
【００１１】
【課題を解決するための手段】
上記課題を解決するため、本発明の記録装置は、記録媒体の幅全域に記録を行う余白無し記録に使用される余白無しノズル列と、記録媒体の搬送方向に対して該余白無しノズル列よりも上流側に配され記録媒体の側端部に余白を残して記録を行う余白有りノズル列と、を有する記録手段により記録媒体に記録を行う記録装置において、搬送中の記録媒体の端部の浮きを押さえる浮き防止部材を備え、該浮き防止部材は記録媒体の搬送方向に対して前記余白無しノズル列で記録される記録領域とは重ならず、前記余白有りノズル列で記録される記録領域とは重なるとともに、記録媒体の幅方向において前記余白有りノズル列で記録される記録領域の外側に配設されている浮き防止領域を有することを特徴とする。
【００２４】
【発明の実施の形態】
本発明の実施形態の記録装置について図面を参照して詳細に説明する。なお、本明細書において、「記録」とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も言うものとする。ここで、「記録シート」（「記録媒体」という場合もある）とは、一般的な記録装置で用いられる紙のみならず、広く、布、プラスチック、フィルム、金属板等、ガラス、セラミックス、木材、皮革等、インクを受容可能なものも言うものとする。
【００２５】
さらに、「インク」（「液体」という場合もある）とは、上記「記録」の定義と同様広く解釈されるべきもので、記録媒体上に付与されることによって、画像、模様、パターン等の形成または記録媒体の加工、あるいはインクの処理（例えば、記録媒体に付与されるインク中の色材の凝固または不溶化）に供され得る液体を言うものとする。
【００２６】
（第１の実施形態）
まず、本発明の第１の実施形態の記録装置について説明する。図１は、本実施形態の記録装置の全体構成を示す斜視図であり、図２は、本実施形態の記録装置の全体構成を示す正面図である。本実施形態の記録装置は、インクタンクを脱着可能な記録ヘッドを搭載したシリアル式のインクジェットプリンタである。
【００２７】
図１、図２において、１０１は、インクタンクを搭載する記録ヘッドであり、１０２は、記録ヘッド１０１を搭載するキャリッジである。キャリッジ１０２の軸受け部（不図示）には、キャリッジ１０２が主走査方向に摺動可能な状態となるように、ガイドシャフト１０３が挿入されており、ガイドシャフト１０３の両端は、シャーシ１１３に固定されている。キャリッジ１０２に係合したキャリッジ駆動伝達手段であるベルト１０４を介して、キャリッジ駆動手段である駆動モータ１０５の駆動が伝達されることによって、キャリッジ１０２が主走査方向に移動可能となる。
【００２８】
記録待機中において記録シート（図１、図２では不図示）は、給紙ベース１０６にスタックされており、記録開始時には給紙ローラ２０１によって記録シートが給紙される。給紙された記録シートは搬送モータ１０７の駆動によって回転する搬送ローラ１０８と、ピンチローラばね１１０により搬送ローラ１０８に押圧されて従動回転するピンチローラ１０９とによって適切な送り量だけ搬送される。そして、キャリッジ１０２の走査中に記録ヘッド１０１は、プラテン１１１に押し付けられた記録シートへインクを吐出して記録シート上に画像を記録する。画像記録終了後、記録シートは、排紙手段（図１、図２では不図示）によって排紙され、記録動作が完了する。給紙ベース１０６への記録シートは、図２の右側端１０６ａを基準としてセットされる。したがって、幅の異なる記録シートが給紙された場合にも、記録シートの右側端の位置は変わらない。１１２は、搬送中の記録シートの端部の浮きを押さえる記録シート浮き防止部材（記録媒体浮き防止部材）であって、プラテン１１１に取り付けられている。
【００２９】
図３は、本実施形態の記録装置における記録ヘッド１０１およびプラテン１１１周辺の構造を示す概略断面図である。図３に示すように、記録シート浮き防止部材１１２は、プラテン１１１上の記録シート３０１と記録ヘッド１０１との間に配設されており、記録シート３０１と記録ヘッド１０１との接触を防止する。また、ピンチローラ１０９と搬送ローラ１０８とで搬送される記録シート３０１は、搬送方向Ｐの下流側で、排紙手段である排紙ローラ３０２と拍車３０３とによって挟持される。
【００３０】
図４は、本実施形態の記録装置における記録ヘッド１０１の吐出口列が配設された面を示す正面図である。４０１は、黒インク滴を吐出するノズル列であり、４０２は、カラーインク滴を吐出するノズル列である。実際には、ノズル列４０２は、シアン、マゼンタ、イエローのインク滴をそれぞれ吐出する複数のノズル列で構成されているが、図４では、説明の簡略化のため、１列のノズル列として示している。
【００３１】
プリンタとしての通常使用においては、黒インクによる記録は、テキスト記録が一般的であって、高い記録速度が要求される。そのため、ノズル列４０１は、記録シート３０１の搬送方向Ｐにできるだけ長いノズル列であることが望まれる。そして、高品位な余白の無い（例えば、写真のような）記録にはカラーインクによる記録が主に行われる。そこで、ノズル列４０１（長さＮ１）はノズル列４０２（長さＣｏｌ）より長く構成されており、ノズル列４０２は、記録シート浮き防止部材１１２の配設位置よりも、記録シートの搬送方向Ｐの下流側に設けられている。ノズル列４０１、４０２を上述のように吐出口面上に配設することによって、ノズル列４０１が配設されている領域で記録シートの搬送方向Ｐの長さがＮ１である領域１と、ノズル列４０１、４０２がともに配設されている領域で、記録シートの搬送方向Ｐの長さがＮ２である領域２とが吐出口面上に形成される。
【００３２】
本実施形態の記録装置では、領域１のノズル列を、記録シートの側端部に余白を残して記録を行う余白有り記録で使用する余白有り記録ノズル列とし、領域２のノズル列を、記録シート側端部まで、すなわち記録シートの幅方向全域に記録する余白無し記録に使用する余白無し記録ノズル列とする。したがって、本実施形態の記録装置では、黒インクを吐出するノズル列４０１のすべてのノズルは、余白有り記録ノズル列となる。本実施形態の記録装置では、領域１が領域２を含んでおり、余白無し記録吐出口列が余白有り記録吐出口列に含まれる構成となっている。
【００３３】
領域２は、領域１よりも記録シートの搬送方向Ｐの下流側となるように設けられている。ノズル列４０２よりノズル列４０１を記録シートの搬送方向Ｐの上流側に設置するのには様々な意味がある。例えば、黒を先に記録してインクがある程度定着した後にカラーを記録するように、記録改行をずらすことができるので、黒インクとカラーインクの記録境界のにじみや、インクの引き込みによる濃度低下を軽減させることができる。したがって、本実施形態の記録装置における記録ヘッド１０１では、Ｎ１−Ｎ２≧Ｃｏｌとし、カラーインク記録前の改行で黒インクの記録が可能な構成とするのが好ましい。なお、複数の走査で画像を形成する高画質モードでのみ、黒インクを吐出するノズル列４０１と、カラーインクを吐出するノズル列４０２との両方を使用する記録装置である場合には、Ｎ１−Ｎ２＜Ｃｏｌであっても、にじみや濃度低下の軽減効果が得られることもある。
【００３４】
図５、図６は、ノズル列４０１、４０２における記録領域と記録シート浮き防止部材１１２との関係を示す図である。図５において、１１２ａは、記録シート浮き防止部材１１２における記録シート浮き防止領域である。５０１は、記録ヘッド１０１の領域２の余白無し記録ノズル列によって記録可能となる記録領域である。記録シートの側端部まで記録可能とするために、記録領域５０１のキャリッジ走査方向の最端位置Ａは、記録シート端Ｂと同位置もしくは記録シート３０１の外側となっている。また、記録シート浮き防止領域１１２ａは、記録シートの搬送方向には、記録領域５０１と重ならないように配設されている。
【００３５】
図４に示したノズル列４０１は、余白有り記録時には領域１全体のノズル列からインクを吐出することができ、余白無し記録時にはインクを吐出するノズル列を限定して領域２内のノズル列のみからインクを吐出することができるものとする。ただし、すでに述べたように、例えば、黒インクが顔料インクである等の理由で、使用する記録シートとの相性が合わないときには、黒インクを使用せずに、カラーインクの重ねあわせによって黒色を再現してもよい。この場合には、図４に示すように、余白無し記録ノズル列の搬送方向Ｐの長さＮ２をノズル列４０２の長さＣｏｌと同じにする。また、図４では、搬送方向Ｐにおける、ノズル列４０１の下流端の位置とノズル列４０２の下流端の位置とが一致しているが、必ずしもその必要はなく、ノズル列４０１の下流端は、ノズル列４０２の下流端よりさらに下流に位置してもよいし、余白無し記録時に黒インクを使用しない場合には、ノズル列４０２の下流端より上流に位置していてもよい。
【００３６】
本実施形態の記録装置では、領域２内の余白無し記録ノズル列より搬送方向Ｐの上流側に、記録シート浮き防止部材１１２と記録シート３０１とが重なる領域である記録シート浮き防止領域１１２ａを設け、記録シート３０１の浮きを押さえる。上述のように記録シート浮き防止領域１１２ａを設けることによって、特に、ピンチローラ１０９を抜けた直後の記録シート３０１の浮きを押さえることができる。なぜなら、下流に位置する拍車３０３によってピンチローラ１０９を抜けた記録シート３０１の浮き上がりが防止されているが、その紙浮き防止効果は、拍車３０３から離れれば離れるほど小さくなり、ピンチローラ１０９を抜けた直後の記録シートの後端部における浮き上がりの発生が最も大きいからである。
【００３７】
図５に示すように、記録シート搬送中の浮き防止効果を高めるべく記録シート浮き防止領域１１２ａをできるだけ広くするためには、記録シート浮き防止領域１１２ａの下流端位置Ｃは、できるだけ余白無し記録ノズル列の最上流位置Ｄに近づけるように配置するのが好ましい。
【００３８】
本実施形態の記録装置では、記録領域５０１より上流では、記録シート浮き防止部材１１２と記録シートが重なるものの、記録領域５０１とそれより下流では、記録シート浮き防止部材１１２と記録シートが重ならない。そのため、記録シート浮き防止部材１１２は、記録シートのすでに記録が完了した領域と接触することはなく、記録後の画像の劣化を防止することができる。
【００３９】
図６において、６０１は、記録ヘッド１０１の余白有り記録ノズル列により記録可能となる記録領域である。記録シート浮き防止領域１１２ａは、記録シート３０１の搬送方向Ｐに対して余白有り記録に使用されるノズル列と略同位置であり、かつキャリッジの走査方向に対して余白有り記録に使用するノズル列による記録領域６０１の外側に配設されている。記録シート浮き防止領域１１２ａの記録シート側の端部Ｅは、記録領域６０１の端部Ａ２よりも外側に位置し、かつ、記録シート３０１の側端部Ｂより内側に位置している。すなわち、記録シート浮き防止部材１１２には、記録シート３０１の余白領域のみが重なり、記録領域６０１とは接触していないため、記録シート３０１の浮きを確実におさえることができ、かつ、記録後の画像の劣化を防止することができる。
【００４０】
以上述べたように、本実施形態の記録装置では、余白無し記録領域５０１より上流側の記録シート３０１の浮きを記録シート浮き防止部材１１２でおさえることによって、余白無し記録を実現することができる。また、余白有り記録ノズル列の搬送方向Ｐの長さを長くすることによって、余白有り記録のノズル使用効率（スピード）を保ちつつ、記録シート３０１と記録ヘッド１０１との衝突を防止することができる。
【００４１】
また、記録シート浮き防止部材１１２は、板状の部材をプラテン１１１に取り付けるだけで実現することができるので、高さ寸法を出しやすく、記録ヘッド１０１と記録シート浮き防止部材１１２との高さクリアランスも確保しやすい。ただし、記録シート浮き防止部材１１２は、プラテン１１に取り付けられるものに限定されるものではなく、ピンチローラ１０９を保持する部材や拍車３０３を保持する部材に取り付けられていてもよいし、更なるコストメリットを求めて、プラテン１１１や前述の部材と一体化してもよい。プラテン１１１と一体化すると、記録シート浮き防止部材１１２や取付け手段などの部品点数が削減できる。
【００４２】
また、本実施形態の記録装置では、黒インクを使用する場合には、余白無し記録と余白有り記録とで、使用ノズル領域を変更したが、図７に示す記録ヘッド１０１のように、カラーインクを吐出するノズル列７０２も、黒インクを吐出するノズル列７０１と同様に、余白有り記録時には、長さＮ１の全ノズル領域１を使用し、余白無し記録時には長さＮ２の領域２のノズル列だけに使用を制限するようにしてもよい。
【００４３】
また、ここまで記録シート基準側の記録シート浮き防止部材１１２の形状に関して述べてきたが、非基準側の記録シート浮き防止部材についても説明する。図８は、非基準側の記録領域と、記録シート浮き防止部材８０１との関係を示す図である。図８において、８０２は、レターサイズの記録シートであり、８０３は、使用頻度が高いＡ４サイズの記録シートである。ＷＡ４は、Ａ４サイズの記録シートの側端位置であり、ＷＬＴＲは、レターサイズの記録シートの側端位置である。
【００４４】
図８に示すように、非基準側の記録シート浮き防止部材８０１は、基準側の記録シート浮き防止部材１１２と同様に、余白無し記録の記録領域と重ならないような形状となっており、Ａ４サイズの記録シートの浮きを防止する記録シート浮き防止領域８０１ａとレターサイズの記録シートの浮きを防止する記録シート浮き防止領域８０１ｂとを備えている。記録シート浮き防止領域８０１ａの端部の位置は、Ａ４サイズの記録シートの側端位置ＷＡ４よりも記録シート内側にあり、記録シート浮き防止領域８０１ｂの端部の位置は、Ａ４サイズの記録シートの側端位置ＷＡ４と、レターサイズの記録シートの側端位置ＷＬＴＲとの間となっている。つまり、記録シート浮き防止部材８０１は、記録シートのサイズ毎に浮き防止領域を有している。そして、各浮き防止領域の端部は、防止対象サイズの記録シートの側端部位置と、そのサイズより１つサイズが小さい記録シートの側端部位置との間となる。
【００４５】
こうすることによって、本実施形態の記録装置では、記録シート浮き防止領域８０１ａ、８０１ｂを有することにより、使用頻度の高いＡ４サイズの記録シート８０２やレターサイズの記録シート８０３の非基準側の浮きをおさえることができる。なお、本発明の記録装置では、他のサイズの記録シートに記録する場合においても、それぞれの記録シートの側端位置に沿った記録シート浮き防止領域を有する記録シート浮き防止部材を備えることによって、記録シートの浮きを防止することが可能となる。
【００４６】
（第２の実施形態）
次に、本発明の第２の実施形態の記録装置について説明する。図９は、本実施形態の記録装置におけるノズル列と記録シート浮き防止部材との関係を示す図である。なお、本実施形態の記録装置の説明で用いられる番号及び記号で示されるもので、第１の実施形態の記録装置の説明でも用いられた番号及び記号で示されるものは、特に記載のない場合、第１の実施形態の記録装置の説明で用いられた番号及び記号で示されるものと、同じ要素であり、同じ構成であり、同じ働きをするものであるとする。
【００４７】
図４に示す第１の実施形態の記録装置における記録ヘッド１０１のノズル列の構成では、余白無し記録に使用する、カラーインクを吐出するノズル列４０２および黒インクを吐出するノズル列とは、同じ領域２に含まれるノズル列となっていた。それに対して、本実施形態の記録装置では、図９に示すように、黒インクを吐出するノズル列９０１（搬送方向長さＢｋ２）の位置を、カラーインクを吐出するノズル列９０２（搬送方向長さＣｏｌ）の位置よりも上流とし、余白無し記録ノズル列の領域を領域３（搬送方向長さＮ３＝Ｂｋ２＋Ｃｏｌ）としている。
【００４８】
本実施形態の記録装置では、ノズル列９０１における余白無し記録に使用するノズル列の長さＢｋ２、すなわち（Ｎ３−Ｃｏｌ）は、Ｃｏｌ以上となっていることが好ましい。また、ノズル列９０１における余白有り記録のみに使用可能なノズル列の長さＢｋ１、すなわち（Ｎ１−Ｎ３）が、Ｃｏｌ以上となっていることが好ましい。
【００４９】
こうすることによって、余白無し記録時にもカラーインクのノズル列９０２での記録直前行において、ノズル列９０１における余白無し記録に使用するノズル列Ｂｋ２による黒記録が可能になり、にじみやすい普通紙のような記録シートに対してもより高品位な余白無し記録を実現することができる。同時に、余白有り記録時においても、ノズル列９０２記録の直前２改行前にノズル列９０１における余白有り記録に使用するノズル列Ｂｋ１による記録が可能になるため、にじみやすい記録シートでも、より高品位な画像を得ることができる。
【００５０】
記録シート浮き防止部材１１２に対しては、上記例と同様、記録シート浮き防止部材１１２の余白部を押さえる領域を領域３より上流に設定することで、記録シートの浮きを確実に押さえられるとともに、記録シート浮き防止部材１１２が記録領域に接触しなくなるため、記録後の画像の劣化を防止することができる。
【００５１】
本実施形態の記録装置では、黒インクを吐出するノズル列９０１の搬送方向Ｐにおける下流端と、カラーインクを吐出するノズル列９０２の搬送方向Ｐにおける上流端とが一致しているが、必ずしもその必要はなく、ノズル列９０１の下流端は、ノズル列９０２の下流端と一致しても、さらに下流に位置していても構わない。
【００５２】
このように、本実施形態の記録装置では、余白無し記録時においてもノズル列９０２の上流にノズル列９０１で記録する領域を設けることで、にじみやすい記録シートでもより高品位な画像が得られる。また、余白無し記録使用ノズルより上流に余白有り記録時使用ノズルを設けることで、搬送方向Ｐに長いノズル列で記録が可能であり記録速度を維持することができる。そして、記録シート３０１の搬送方向Ｐに対して余白有り記録に使用されるノズル領域と略同位置であり、かつキャリッジの走査方向に対して余白有り記録に使用するノズル領域の外側（余白部）に記録シート浮き防止部材１１２を配設したため、記録シートと記録ヘッドとの衝突を防止し、記録後の画像の劣化と記録ヘッドの破損を防止することができる。
【００５３】
なお、本発明の記録装置では、第１の実施形態、第２の実施形態で述べたように、記録ヘッドのノズル構成が記録シート浮き防止部材の形状に対応するもの、すなわち、記録シートの搬送方向Ｐに対して、余白無し記録使用ノズル列が、記録シート浮き防止部材の記録シート浮き防止領域の下流端よりも下流に配設された記録ヘッドであれば、様々なノズル構成の記録ヘッドが適用可能となる。図１０は、本発明の記録装置に適用可能な記録ヘッドのノズル構成を示す正面図である。図１０（ａ）は、第１の実施形態で述べた記録ヘッドのノズル構成であり、図１０（ｂ）は、第２の実施形態で述べた記録ヘッドのノズル構成である。
【００５４】
図１０（ａ）、（ｂ）に示すように、第１の実施形態における記録ヘッドの領域１（長さＮ１）の上流端と、第２の実施形態の記録ヘッドの領域１の上流端とを一致させつつ、第１の実施形態における記録ヘッドのノズル列４０１の領域２の上流端と、第２の実施形態における記録ヘッドのノズル列１００１の領域３の上流端とを一致させると、第１の実施形態で説明したＮ１−Ｎ２≧Ｃｏｌなる関係、第２の実施形態で説明したＢｋ２≧Ｃｏｌ、すなわちＮ３−Ｃｏｌ≧Ｃｏｌ、さらに、Ｂｋ１≧Ｃｏｌ、すなわちＮ１−Ｎ３≧Ｃｏｌの関係が保たれたまま、同一の記録シート浮き防止部材１１２を適用可能となる。なお、ここでは、余白有り記録使用ノズル列の上流端位置と、余白無し記録使用ノズル列の上流端位置とを一致させたが、記録シート浮き防止部材１１２の記録シート浮き防止領域１１２ａの搬送方向Ｐの下流端Ｃより余白無し記録時使用ノズル領域が下流に位置してさえいれば、同様の記録シート浮き防止効果を得ることができる。
【００５５】
さらに、黒インクを吐出するノズル列の長さとカラーインクを吐出するノズル列の長さとが同一の記録ヘッドを採用する場合においても、図１０（ｃ）に示すように、黒インクを吐出するノズル列を１００１、カラーインクを吐出するノズル列を１００２とし、余白無し記録領域内（長さＮ４）にすべてのノズル列１００１、１００２を設置したり、図１０（ｄ）に示すように、黒インクを吐出するノズル列を７０１、カラーインクを吐出するノズル列を７０２とし、ノズル列７０１、７０１では、余白無し記録時にインクを吐出するノズル列を、長さＮ５の領域内のノズル列に制限することによって、同一の記録シート浮き防止部材１１２の適用が可能となる。
【００５６】
以上述べたように、本発明の記録装置では、ノズル列の配置パターンが異なる様々な記録ヘッドの選択的な搭載が可能となり、記録ヘッドの選択の自由度を提供することができる。また、図１０（ａ）〜図１０（ｄ）に示すような様々な記録ヘッドを有する他の記録装置に対しても第１の実施形態の記録装置における同一の記録シート浮き防止部材１１２、８０１を取り付けて、本発明の記録シート浮き防止効果を得ることができる。すなわち、記録装置間で記録シート浮き防止部材の共通化を図り、コストダウンや開発負荷の低減といったメリットを得ることができる。
【００５７】
【発明の効果】
本発明によれば、記録速度の低下や記録品位の低下を招くことなく、余白有り記録、余白無し記録ともに記録媒体と記録ヘッドとの衝突を防止することができる記録装置を提供することができる。
【図面の簡単な説明】
【図１】本発明の第１の実施形態の記録装置の全体構成を示す斜視図である。
【図２】本発明の第１の実施形態の記録装置の全体構成を示す正面図である。
【図３】本発明の第１の実施形態の記録装置における記録ヘッドおよびプラテン周辺の構造を示す概略断面図である。
【図４】本発明の第１の実施形態の記録装置における記録ヘッドの吐出口列が配設された面を示す正面図である。
【図５】ノズル列における記録領域と記録シート浮き防止部材との関係を示す図である。
【図６】ノズル列における記録領域と記録シート浮き防止部材との関係を示す図である。
【図７】記録ヘッドの吐出口列が配設された面を示す正面図である。
【図８】非基準側の記録領域と記録シート浮き防止部材との関係を示す図である。
【図９】本発明の第２の実施形態の記録装置におけるノズル列と記録シート浮き防止部材との関係を示す図である。
【図１０】本発明の記録装置に適用可能な記録ヘッドのノズル構成を示す正面図である。
【符号の説明】
１０１    記録ヘッド
１０２    キャリッジ
１０３    ガイドシャフト
１０４    ベルト
１０６    給紙ベース
１０６ａ    右側端
１０７    搬送モータ
１０８    搬送ローラ
１０９    ピンチローラ
１１０    ピンチローラばね
１１１    プラテン
１１２，８０１    記録シート浮き防止部材
１１２ａ，８０１ａ，８０１ｂ    記録シート浮き防止領域
１１３    シャーシ
３０１，８０２，８０３    記録シート
３０２    排紙ローラ
３０３    拍車
４０１，４０２，７０１，７０２，９０１，９０２，１００１，１００２    ノズル列
５０１，６０１    記録領域
【図１】
0003826088.tif 000002
【図２】
0003826088.tif 000003
【図３】
0003826088.tif 000004
【図４】
0003826088.tif 000005
【図５】
0003826088.tif 000006
【図６】
0003826088.tif 000007
【図７】
0003826088.tif 000008
【図８】
0003826088.tif 000009
【図９】
0003826088.tif 000010
【図１０】
0003826088.tif 000011